(57)【要約】【課題】  構造が簡単で低コストに製造でき、しかも容易に持ち運びできるインフォメーションポスト、及び簡易柵を提供する。【解決手段】  簡易柵（バリカー）１０は、その頭部にパネル型ディスプレー１を有する複数のインフォメーションポスト２を、互いに隔てて起立させた姿勢で配列し、複数のインフォメーションポスト２同士の間に、オンデマンド配信される電子化情報をパネル型ディスプレー１に伝送する可撓信号線３を架け渡したものである。【選択図】  図１
2005314980.tif 000002
【特許請求の範囲】
【請求項１】
ディスプレーを有し起立する複数のインフォメーションポストを、互いに隔てて配列し、該複数のインフォメーションポスト同士の間に、電子化情報を前記ディスプレーに伝送する可撓信号線を架け渡し、前記複数のインフォメーションポストのそれぞれのディスプレーに前記電子化情報を表示させることを特徴とする簡易柵。
【請求項２】
電子化情報を無線ネットワークを介して授受する入出力装置、及び該入出力装置が授受する前記電子化情報を表示するディスプレーを備える複数のインフォメーションポストを、互いに隔てて配列し、該複数のインフォメーションポスト同士の間に可撓体を架け渡したことを特徴とする簡易柵。
【請求項３】
前記可撓体が、前記入出力装置、及び前記ディスプレーに電源を各々供給する電線を含むことを特徴とする請求項２に記載の簡易柵。
【請求項４】
起立姿勢で設置されるポスト本体に、電子化情報を表示するディスプレーを設けたことを特徴とするインフォメーションポスト。
【請求項５】
前記電子化情報を無線ネットワークを介して授受する入出力装置を備えることを特徴とする請求項４に記載のインフォメーションポスト。
【請求項６】
前記電子化情報に基づき音声信号を発信する音声発信装置を備えることを特徴とする請求項４又は５に記載のインフォメーションポスト。
【請求項７】
電子化情報を記録する記録媒体を収納する記録媒体収納部と、前記記録媒体の電子化情報を読み取り前記ディスプレーに転送する読取装置とを備えることを特徴とする請求項４乃至６に記載のインフォメーションポスト。
【請求項８】
前記ディスプレーにタッチスクリーンを設けたことを特徴とする請求項４乃至７に記載のインフォメーションポスト。
【請求項９】
前記入出力装置が、携帯型端末装置に前記電子化情報を双方向通信することを特徴とする請求項４乃至８に記載のインフォメーションポスト。
【請求項１０】
前記入出力装置が認証情報を認識できることを特徴とする請求項４乃至９に記載のインフォメーションポスト。
【請求項１１】
前記ポスト本体に近接検知センサを設けたことを特徴とする請求項４乃至１０に記載のインフォメーションポスト。
【請求項１２】
前記ポスト本体に足下ライトを設けたことを特徴とする請求項４乃至１１に記載のインフォメーションポスト。
【請求項１３】
前記ポスト本体に水平方向へ延出する支持バーを設け、該支持バーの周りに回転可能に前記ディスプレーを取付けたことを特徴とする請求項４乃至１２に記載のインフォメーションポスト。
【請求項１４】
前記ディスプレーを前記支持バーの周りに回転させる駆動源と、前記ディスプレーの下方に配置され前記駆動源を起動又は停止させる操作部とを備えることを特徴とする請求項１３に記載のインフォメーションポスト。
【請求項１５】
前記入出力装置、及び前記ディスプレーに電力を供給する太陽電池を、前記ディスプレーに貼り合わせたことを特徴とする請求項１３又は１４に記載のインフォメーションポスト。
【請求項１６】
前記ディスプレーが、パネル型の偏平形状であることを特徴とする請求項４乃至１５に記載のインフォメーションポスト。
【請求項１７】
前記ディスプレーが、前記ポスト本体に鉛直軸周り、又は水平軸周りに回転可能に取付けられていることを特徴とする請求項４乃至１６に記載のインフォメーションポスト。
【請求項１８】
前記ポスト本体が上下方向に伸縮可能であることを特徴とする請求項４乃至１７に記載のインフォメーションポスト。
【請求項１９】
前記ポスト本体が、前記ディスプレーを出没させるディスプレー収納部を備えることを特徴とする請求項４乃至１８に記載のインフォメーションポスト。
【発明の詳細な説明】
【技術分野】
【０００１】
本発明は、地面又は床等に立ち上げられ視聴覚的に認識可能な情報の伝達を担うインフォメーションポスト、及び通路等を区画するためにインフォメーションポストを複数連ねて構成される簡易柵に関する。
【背景技術】
【０００２】
路面又は床等に立ち上げて設置されるポストに、表示装置、音声案内装置、無線通信機器、又は人体検知センサ等を設けた技術は、下記の特許文献に開示されている。
【特許文献１】特開平１０−３２３３６５号公報
【特許文献２】特開平１１−３４９５号公報
【発明の開示】
【発明が解決しようとする課題】
【０００３】
周知のように、駅、空港、店舗、又はテーマパークのアトラクションの順番を待つ大衆の整列を促すために、路面又は床等に起立する複数のポストを互いに隔てて配列し、これらのポスト同士の間に、ロープ、チェーン、又はベルト等を架け渡して成る簡易柵が設置される。このような簡易柵によって拘束される者は、待ち時間が長くなるにつれて不快な退屈感を覚える。その効果的な解消策として、ビデオを放映するためのテレビの設置等が試みられているが、その設備が大掛かりでコスト高になる上、これらの撤去や搬送にも多くの手間を要することが問題である。
【０００４】
本発明の目的は、構造が簡単で低コストに製造でき、しかも容易に持ち運びできるインフォメーションポスト、及び簡易柵を提供することにある。
【課題を解決するための手段】
【０００５】
本発明に係る簡易柵は、ディスプレーを有し起立する複数のインフォメーションポストを、互いに隔てて配列し、該複数のインフォメーションポスト同士の間に、電子化情報を前記ディスプレーに伝送する可撓信号線を架け渡し、前記複数のインフォメーションポストのそれぞれのディスプレーに前記電子化情報を表示させることを特徴とする。
【０００６】
更に、本発明に係る簡易柵は、電子化情報を無線ネットワークを介して授受する入出力装置、及び該入出力装置が授受する前記電子化情報を表示するディスプレーを備える複数のインフォメーションポストを、互いに隔てて配列し、該複数のインフォメーションポスト同士の間に可撓体を架け渡したことを特徴とする。
【０００７】
更に、本発明に係る簡易柵は、前記可撓体が、前記入出力装置、及び前記ディスプレーに電源を各々供給する電線を含むことを特徴とする。
【０００８】
本発明に係るインフォメーションポストは、起立姿勢で設置されるポスト本体に、電子化情報を表示するディスプレーを設けたことを特徴とする。
【０００９】
更に、本発明に係るインフォメーションポストは、前記電子化情報を無線ネットワークを介して授受する入出力装置を備えることを特徴とし、前記電子化情報に基づき音声信号を発信する音声発信装置を備えることを特徴とし、電子化情報を記録する記録媒体を収納する記録媒体収納部と、前記記録媒体の電子化情報を読み取り前記ディスプレーに転送する読取装置とを備えることを特徴とし、前記ディスプレーにタッチスクリーンを設けたことを特徴とし、前記入出力装置が、携帯型端末装置に前記電子化情報を双方向通信することを特徴としても良い。
【００１０】
更に、本発明に係るインフォメーションポストは、前記入出力装置が認証情報を認識できることを特徴とし、前記ポスト本体に近接検知センサを設けたことを特徴とし、前記ポスト本体に足下ライトを設けたことを特徴とし、前記ポスト本体に水平方向へ延出する支持バーを設け、該支持バーの周りに回転可能に前記ディスプレーを取付けたことを特徴とし、前記ディスプレーを前記支持バーの周りに回転させる駆動源と、前記ディスプレーの下方に配置され前記駆動源を起動又は停止させる操作部とを備えることを特徴としても良い。
【００１１】
更に、本発明に係るインフォメーションポストは、前記入出力装置、及び前記ディスプレーに電力を供給する太陽電池を、前記ディスプレーに貼り合わせたことを特徴とし、前記ディスプレーが、パネル型の偏平形状であることを特徴とし、前記ディスプレーが、前記ポスト本体に鉛直軸周り、又は水平軸周りに回転可能に取付けられていることを特徴とし、前記ポスト本体が上下方向に伸縮可能であることを特徴とし、前記ポスト本体が、前記ディスプレーを出没させるディスプレー収納部を備えることを特徴としても良い。
【発明の効果】
【００１２】
本発明によれば、ディスプレーを有する複数のインフォメーションポストを、互いに隔てて配列し、これらのインフォメーションポストのそれぞれのディスプレーに、例えばオンデマンド配信される電子化情報を表示させられる。このため、駅、空港、店舗、又はテーマパークのアトラクション等の順番を待つ大衆は、当該簡易柵によって長時間拘束されても、ディスプレーに刻々と表示される文字や画像等の情報を視覚的に享受できるので、退屈感を覚えることは殆どない。
【００１３】
しかも、複数のインフォメーションポスト同士の間に、可撓信号線を架け渡すことにより、インフォメーションポスト同士の間の通行を規制するという簡易柵の本来の機能を果たすことができる。また、可撓信号線を介して各ディスプレーに電子化情報を同時に配信できるので、従来例のようなビデオやモニターを多数設置する場合に比較して、低コストで、しかも極めて簡単な構造にて、上記の効果を達成することができる。
【００１４】
特に、本発明を構成するディスプレーとして、液晶又はプラズマ・ディスプレーのようなパネル型ディスプレーを適用した場合、上記の効果を一層顕著に達成できることに加え、インフォメーションポストの撤去や搬送を行うに際して、これを一人でも容易に持ち運べるという利点が得られる。
【００１５】
更に、本発明によれば、電子化情報を無線ネットワークを介して授受する入出力装置をインフォメーションポストに設けているので、複数のインフォメーションポスト同士を接続する信号線又はバス等を省略し、複数のインフォメーションポストを、信号線又はバス等の長さに制限されることなく、自由に配置することが可能となる。
【００１６】
しかも、複数のインフォメーションポスト同士の間に可撓体を架け渡すことにより、インフォメーションポスト同士の間の通行を規制するという簡易柵の本来の機能を果たすことができる。この場合、可撓体に電線を含ませ、同電線を介して入出力装置とディスプレーに電源を各々供給すれば、個々のインフォメーションポスト毎にバッテリーを装備したり、コンセント等から電源コードを延ばす等の必要がない。従って、個々のインフォメーションポストの撤去や搬送を容易化し、また個々のインフォメーションポスト、更には簡易柵の全体の外観を簡素化し、その見栄えを向上することができる。
【００１７】
更に、本発明によれば、音声発信装置を備えるので、ディスプレーを通して、映画やテレビ番組の放映、又は商業的宣伝広告を行うに際して、これらの電子化情報に基づき音声信号を発信することができる。従って、インフォメーションポストの近傍にスピーカー等を設ける必要が無く、個々のインフォメーションポスト、更には簡易柵の全体の外観を簡素化し、その見栄えを向上することができる。
【００１８】
更に、インフォメーションポストが、例えばＤＶＤ、ＣＤ、各種メモリーカード、又はＩＣチップ等のような電子化情報を記録する記録媒体を収納する記録媒体収納部と、記録媒体を駆動する駆動装置と、記録媒体に予め記録された電子化情報を読み取りディスプレーに転送する読取装置とを備える場合、電子化情報が上記の可撓信号線又は無線ネットワークを経て配信されるのを待つまでもなく、ディスプレーに所望の情報を表示させることができる。
【００１９】
また、複数のインフォメーションポストの中の一のインフォメーションポストが、駆動装置と読取装置とを備える場合、一のインフォメーションポストをサーバ装置とし、他のインフォメーションポストをクライアント装置としたローカル・エリア・ネットワークを構築し、これら総てのインフォメーションポストのディスプレーに、記録媒体に予め記録された電子化情報を同時に表示させることができる。
【００２０】
更に、ディスプレーにタッチスクリーンを設けた場合、電子化情報をディスプレーに表示させる一方、ディスプレーを見る者がタッチスクリーンに触れることにより所望の情報の入力が可能となるので、上記の可撓信号線又は無線ネットワークを介した双方向通信を実現することができる。このような双方向通信は、不特定で多人数の者を対象として行われるが、入出力装置がパスワード等の認証情報を認識できるよう構成すれば、個人情報の漏出を確実に防止し、またセキュリティーの強化を図ることができる。
【００２１】
更に、入出力装置が、例えば無線携帯電話機や無線通信装置付きパソコン、ＰＤＡ、ＩＣチップ等を含む携帯型端末装置に、電子化情報を無線通信等により双方向通信できるよう構成すれば、無線携帯電話機等の端末装置が装備するディスプレー等に電子化情報を表示させることができる。また、無線携帯電話機等の端末装置を操作する者は、入出力装置が接続可能なインターネットを通して電子メールや画像の送受信を行うことができる。
【００２２】
更に、ポスト本体に足下ライト（灯）を設けることにより、暗い劇場内での歩行者の足下を照らし、歩行者が躓いたりするのを防止し、またポスト本体が誘導同等灯としても役立つことになる。この場合、インフォメーションポストに近接検知センサを設け、例えば、同センサが何も検出しない時には、ディスプレー、そのバックライト、又は入出力装置の電源をＯＦＦにし、同センサが人体又は車椅子等の接近を検出した時には、これらをＯＮにすれば、近接検知センサを節電に役立てることができる。また、視覚障害者の接近を近接検知センサが感知した時に、例えば「そのまま前に進んで下さい。」「左に出口が御座います。」等の音声案内を発声して、視覚障害者の歩行を補助するようにしても良い。
【００２３】
更に、本発明によれば、ポスト本体に水平方向へ延出する支持バーを設け、支持バーの周りに回転可能にディスプレーを取付けているので、ディスプレーの取付角度を自在に変更できる。これにより、ディスプレーを見る者が、ポスト本体の真下に位置する場合、或いはポスト本体の遠方に位置する場合でも、ディスプレーを見る者に対して、同ディスプレーを正面に向けることができる。
【００２４】
更に、ディスプレーを支持バーの周りに回転させる駆動源と、駆動源を起動又は停止させる操作部とを備える場合、ディスプレーに手を触れることなく、ディスプレーの取付角度を自在に変更できる。従って、ディスプレーを手垢等で汚すことがなく、またディスプレーが手の届かない程高所に位置する場合でも、上記の効果を達成することができる。
【００２５】
更に、入出力装置、及びディスプレーに電力を供給する太陽電池を、ディスプレーに貼り合わせた場合、太陽電池が太陽又は周囲の照明を受けることにより発電するので、入出力装置、及びディスプレーが消費する電力の一部又は全部を、太陽電池によって賄えるという利点が得られる。また、太陽電池を取付ける支持体として、ディスプレーを利用できるので、ポスト本体の外観を簡素化し、その見栄えを向上することができる。
【００２６】
更に、ディスプレーが、ポスト本体に鉛直軸周り、又は水平軸周りに回転可能に取付けられている場合、ディスプレーの向きを上下、又は左右方向へ自由に替えることができる。従って、ディスプレーを見る者が、ポスト本体の正面から逸れて側方に位置する場合、或いはディスプレーを見る者が起立してディスプレーを見下ろしたり、反対に座り姿勢でディスプレーを見上げたりする場合でも、ディスプレーをその真正面から良好に覗くことができる。
【００２７】
更に、ポスト本体を上下方向に伸縮可能に構成した場合、ディスプレーの高さを調整できるので、例えば、ディスプレーに表示する内容が専ら子供を対象としたものであれば、子供の平均的な身長を考慮して、ディスプレーを子供が僅かに目線を下げて見ることができる高さに配置できるという利点が得られる。
【００２８】
更に、ディスプレーを出没させるディスプレー収納部をポスト本体が備えるよう構成すれば、ディスプレーを使用する場合には、ディスプレーをディスプレー収納部から突出させ、ディスプレーを使用しない場合には、ディスプレーをディスプレー収納部に没入させることにより、例えば通行人が不用意にディスプレーに衝突すること等を予防し、ディスプレーを保護することができる。また、インフォメーションポストの撤去や搬送を行うに際して、ディスプレーをディスプレー収納部に没入させられる分、ポスト本体の全長を短くできるという利点が得られる。
【発明を実施するための最良の形態】
【００２９】
本発明の実施形態に係る簡易柵（以下で「バリカー」と記す。）、及びそれを構成するインフォメーションポストについて、図面に基づき説明する。以下で、コンピュータ、インターネット、無線通信、又はこれらを実現するハードウェア資源に関する詳細な図示及び記述は省略する。また、各実施例に共通の要素は、図中に同じ符号を付しその説明を省略する。
【実施例１】
【００３０】
図１に示すように、バリカー１０は、その頭部にパネル型ディスプレー１を有する複数のインフォメーションポスト２を、互いに隔てて起立させた姿勢で配列し、複数のインフォメーションポスト２同士の間に、オンデマンド配信される電子化情報をパネル型ディスプレー１に伝送する可撓信号線３を架け渡したものである。
【００３１】
インフォメーションポスト２は、ステンレス製パイプのような見栄えの綺麗なポスト本体２１の下部に、これが地面、路面、又は床等に自立できるように、フランジ状の接地部２２を設けている。パネル型ディスプレー１とは、液晶ディスプレー又はプラズマ・ディスプレー等のように、その表示画面の縦横の寸法に対して厚み寸法を小さく抑えた偏平な形状のディスプレーを意味する。
【００３２】
パネル型ディスプレー１は極めて小型でしかも軽量であるので、図２（ａ）に示すようにポスト本体２１に小さく納めることができる。また、同図（ｂ）は、汎用性の高い長方形のパネル型ディスプレー１を適用した例である。このようなディスプレー１を備えるインフォメーションポスト２は、撤去又は搬送するに際して極めて容易に持ち運びすることができる。
【００３３】
可撓信号線３は、図３（ａ），（ｂ）に示すように、ロープ状の抗張体３１に挿通されている。抗張体３１の両端部には、フック３２を有するジョイント３３が各々設けられ、更に、個々のジョイント３３から、可撓信号線３が各々延出すると共に、この可撓信号線３の末端に、例えばＵＳＢ規格の通信プラグ３４を設けている。一方、ポスト本体２１の側面の複数箇所には、同図（ｃ）に示すように、フック３２を掛止めする鉤部３５と、通信プラグ３４を差込むソケット３６と、これらを隠蔽し且つ雨水等を遮る庇状のカバー３７が各々設けられている。
【００３４】
上記の通信プラグ３４は、ＵＳＢ規格に限らず、あらゆるデータバスの接続、又は電源線の接続に利用できるものであれば良い。また、カバー３７は必須ではないが、カバー３７を付加することにより、インフォメーションポスト２を雨天時の屋外でも使用できるという利点が得られる。
【００３５】
バリカー１０によれば、図４（ａ），（ｂ）に示すように、例えばインターネットに接続可能なホストコンピュータ３８が同インターネットを経由して適時ダウンロードされる電子化情報を、可撓信号線３を介して、複数のインフォメーションポスト２のそれぞれのパネル型ディスプレー１に伝達できる。更に、この電子化情報は、ディスプレー・ドライブ回路によって文字又は画像等に変換されつつ、総てのパネル型ディスプレー１に同時に表示される。
【００３６】
このため、駅、空港、店舗、又はテーマパークのアトラクション等の順番を待つ大衆は、バリカー１０によって長時間拘束されても、パネル型ディスプレー１に刻々と表示される文字や画像等の情報を視覚的に享受できるので、退屈感を覚えることは殆どない。また、このような効果を、従来例のようなビデオやモニターを多数設置する場合に比較して、低コスト且つ極めて簡単な構造にて達成することができる。
【００３７】
しかも、複数のインフォメーションポスト２同士の間に、可撓信号線３を架け渡すことにより、インフォメーションポスト２同士の間の通行を規制するというバリカー１０の本来の機能を果たすことができる。
【００３８】
また、図２（ａ）に示すように、ポスト本体２１に、音声信号を発信するスピーカー等の音声発信装置４を設けても良い。この場合、パネル型ディスプレー１を通して、映画やテレビ番組の放映、又は商業的宣伝広告を行うに際して、これらの電子化情報に基づき音声信号を発信できる。従って、インフォメーションポスト２の近傍にスピーカー等を別途設置する必要が無いので、個々のインフォメーションポスト２、更にはバリカー１０の全体の外観を簡素化し、その見栄えを向上することができる。但し、パネル型ディスプレー１にスピーカ等が始めから組込まれている場合は、音声発信装置４を省略しても良い。
【００３９】
更に、図４（ａ），（ｂ）は、ホストコンピュータ３８が電子化情報を無線通信により個々のインフォメーションポスト２へ配信できることを各々示唆した平面図である。この構成を以下に述べる。
【実施例２】
【００４０】
図５（ａ），（ｂ），（ｃ）に示すように、バリカー２０は、電子化情報を無線ＬＡＮのような無線ネットワークを介して授受する入出力装置５を備え、入出力装置５が授受する電子化情報を表示するパネル型ディスプレー１に表示させるものである。複数のインフォメーションポスト２同士の間には、図６（ａ）に示すように、パネル型ディスプレー１に電源を供給する電線６を含む帯状の可撓体７が架け渡されるので、インフォメーションポスト２同士の間の通行を規制するというバリカー２０の本来の機能を果たすことができる。
【００４１】
バリカー２０に適用するポスト本体２４は、パネル型ディスプレー１の形状と後述のジョイント部２５の構成を除いて、既述のポスト本体２１と同様である。入出力装置５は説明の便宜により、アンテナと共にポスト本体２４の外部に記しているが、実際には、これらはポスト本体２４に内装し、ポスト本体２４をアンテナとして利用することが好ましい。符号２６はパネル型ディスプレー１の角度を調整するためのヒンジ部を指している。ヒンジ部２６については後述する。
【００４２】
可撓体７の端部には、図６（ｂ）に示すような端子６１を有するプラグ６２が各々設けられている。端子６１はプラグ６２の内部で電線６に接続している。一方、ポスト本体２４の側面の複数箇所には、プラグ６２を差込むソケット６３が各々設けられている。更に、プラグ６２はロックボタン６４を備え、このロックボタン６４を指等で押すことにより、プラグ６２をソケット６３から抜き取ることが可能となる。
【００４３】
符号６５は、プラグ６２の外から雨水や埃等が端子６１側へ浸入するのを防止するパッキンである。また、ソケット６３は、図５（ｂ）に仮想線で表したように、ポスト本体２４の正面、又はその裏側に移動さても良い。これは、図４（ｂ）に示すような互いに直行する２本の可撓信号線３を、インフォメーションポスト２にそれぞれ接続する場合を考慮したことによる。
【００４４】
バリカー２０によれば、複数のインフォメーションポスト２同士を接続する信号線又はバス等を省略し、複数のインフォメーションポスト２を、信号線又はバス等の長さに制限されることなく、自由に配置することができる。しかも、電線６を介して入出力装置５とパネル型ディスプレー１に電源を各々供給できるので、個々のインフォメーションポスト２毎にバッテリーを装備したり、コンセント等から電源コードを延ばす等の必要がない。従って、個々のインフォメーションポスト２の撤去や搬送を容易化し、また個々のインフォメーションポスト２、更にはバリカー１０の全体の外観を簡素化し、その見栄えを向上することができる。
【実施例３】
【００４５】
図７に示すように、インフォメーションポスト３０は、例えばＤＶＤ、ＨＤ、ＣＤ−ＲＯＭ、各種メモリーカド、又はＩＣチップ等のソフトウェアとして市販されている記録媒体９を収納する記録媒体収納部から進退し且つ記録媒体９を駆動する駆動装置１１と、記録媒体９に予め記録された電子化情報を読み取りパネル型ディスプレー１に転送する読取装置１２とを備えるものである。インフォメーションポスト３０によれば、電子化情報が上記の可撓信号線３又は無線ネットワークを経て配信されるのを待つまでもなく、パネル型ディスプレー１に所望の情報を表示させることができる。
【００４６】
また、パネル型ディスプレー１にタッチスクリーン１３を設けても良い。この場合、電子化情報をパネル型ディスプレー１に表示させる一方、パネル型ディスプレー１を見る者がタッチスクリーン１３に触れることにより所望の情報の入力が可能となるので、上記のホストコンピュータ３８との間で、無線ネットワーク又は可撓信号線３を介した双方向通信を実現できる。このような双方向通信は、不特定で多人数の者を対象として行われるが、入出力装置５が、例えばパスワード、携帯端末装置が識別可能な個人認証、又はＩＣチップ内臓のカード等に記録できる認証情報を認識できるよう構成すれば、個人情報の漏出の防止やセキュリティーの強化を図ることができる。
【００４７】
更に、入出力装置５が、携帯型端末装置１４に電子化情報を無線通信又はＩＲＤＡによる赤外線通信ができるようにしても良い。この場合、携帯型端末装置１４とは、例えば無線携帯電話機、無線ＬＡＮに接続可能な通信手段を備えた所謂ノート型パーソナルコンピュータ、その他、ＰＤＡ等の小型端末装置を意味し、これらが装備するディスプレー等に電子化情報を表示させることができる。また、携帯型端末装置１４を操作する者が同電話機１４を介して接続可能なインターネットを介して電子メールや画像の送受信を行うことができる。
【００４８】
更に、インフォメーションポスト３０のポスト本体３９には、足下ライト（灯）１６を設けても良い。この場合、暗い劇場内での歩行者の足下を照らし、歩行者が躓いたりするのを防止し、また足下ライト１６が誘導灯としても役立つことになる。ポスト本体３９に近接検知センサ１５を設けても良い。この場合、近接検知センサ１５が何も検出しない時には、例えばパネル型ディスプレー１、そのバックライト、又は入出力装置５の電源をＯＦＦにし、近接検知センサ１５が人体又は車椅子等の接近を検出した時には、これらをＯＮにできる。これにより近接検知センサ１５を節電に役立てることができる。
【実施例４】
【００４９】
図８は、インフォメーションポスト２，３０，４０を互いに隔てて配列し、これらの間に可撓体７を架け渡した状態を表している。インフォメーションポスト４０は、そのポスト本体４１の頭部付近に水平方向へ延出する支持バー１７を設け、支持バー１７の周りに回転可能にパネル型ディスプレー１を取付けたものである。
【００５０】
インフォメーションポスト２，３０，４０の中の一のインフォメーションポスト３０が、駆動装置１１と読取装置１２とを備える。このインフォメーションポスト３０をサーバ装置とすれば、他のインフォメーションポスト２，４０をクライアント装置としたローカル・エリア・ネットワーク（ＬＡＮ）を構築できる。そして、インフォメーションポスト２，３０，４０のそれぞれのパネル型ディスプレー１に、記録媒体９に予め記録された電子化情報を同時に表示させることができる。
【００５１】
更に、インフォメーションポスト４０は、パネル型ディスプレー１を支持バー１７の周りに正転又は逆転するよう回転させる駆動源と、パネル型ディスプレー１の下方に配置され上記の駆動源を起動又は停止させる操作部１８とを備える。上記の駆動源は、ポスト本体４１に内装されているため図に表れていない。操作部１８は、図９（ａ）に示すように、２つのプッシュボタン１８１，１８２を備え、これらの何れかが指等で押されると、パネル型ディスプレー１が正転又は逆転し、指等が離されると、その時点でパネル型ディスプレー１は静止する。
【００５２】
このように操作部１８を操作すれば、パネル型ディスプレー１の取付角度を自在に変更できるので、パネル型ディスプレー１を見る者が、ポスト本体２１の真下に位置しても、ポスト本体２１の遠方に位置する場合でも、パネル型ディスプレー１を見る者に対して、パネル型ディスプレー１を正面に向けることができる。しかも、パネル型ディスプレー１に直接手を触れることなく、パネル型ディスプレー１の取付角度を自在に変更できるので、パネル型ディスプレー１を手垢で汚すことがなく、またパネル型ディスプレー１が手の届かない程高所に位置する場合でも、この取付角度を自在に変更できるという利点が得られる。
【００５３】
更に、図９（ｂ）に示すように、パネル型ディスプレー１と入出力装置５に電力を各々供給する太陽電池２７を、パネル型ディスプレー１に貼り合わせても良い。この場合、太陽電池２７が太陽又は周囲の照明を受けることにより発電するので、パネル型ディスプレー１と入出力装置５の両方が消費する電力の一部又は全部を、太陽電池２７によって賄える。また、太陽電池２７を取付ける支持体として、パネル型ディスプレー１の裏面（表示画面の反対側）を利用できるので、ポスト本体４１の外観を簡素化し、その見栄えを向上することができる。この場合、パネル型ディスプレー１と太陽電池２７の間に通気路２８を形成して放熱効果が得られるよう構成しても良い。
【００５４】
尚、本発明は、その趣旨を逸脱しない範囲で当業者の知識に基づいて種々なる改良、修正、変形を加えた態様で実施できる。例えば、接地部２２を省略し、駅のホームやバス、タクシーの停留所の地面、路面、又は床等に、図１０（ａ），（ｂ）に示すような縦穴２９を形成し、縦穴２９にポスト本体２１の下端部を差込んでも良い。また、図１１（ａ），（ｂ）に示すように、インフォメーションポスト２が誤って転倒させられる事態を考慮して、パネル型ディスプレー１の周縁部を緩衝材１００で囲繞しても良い。
【００５５】
また、図１１（ａ），（ｂ）に示すように、ポスト本体２１の上部と下部を互いに別の管材から構成し、ポスト本体２１の上部の外径を、ポスト本体２１の下部の挿入可能な大きさに設定すれば、ポスト本体２１の丈（高さ寸法）を伸縮可能に構成できる。この場合、ポスト本体２１の上部を、ポスト本体２１の下部に締め付けるナット１０１を設ければ、ポスト本体２１の上部に設けたパネル型ディスプレー１を、ポスト本体２１の下部に対して所望の位置に固定できるので、パネル型ディスプレー１の高さを自在に調整することができる。
【００５６】
また、図１２（ａ）乃至（ｃ）に示すように、ポスト本体４１の頭部付近に水平方向へ延出する一対の支持バー１７を設け、これら一対の支持バー１７の周りに回転可能に、一対のパネル型ディスプレー１を各々取付けても良い。
【実施例５】
【００５７】
図１３に示すインフォメーションポスト２００は、ポスト本体２１の頭部に、円柱状のターンヘッド２１０を設け、ターンヘッド２１０の周面の一部に、パネル型ディスプレー１を直立姿勢で嵌込んだものである。ターンヘッド２１０は、ポスト本体２１に対して鉛直軸周りに、矢印Ｒで指した方向へ手動で回転できるようにしても良いが、ポスト本体２１に内装したモータ等により、パネル型ディスプレー１が所望の方向を向くように電動で回転又は停止するよう構成しても良い。
【実施例６】
【００５８】
図１４に示すインフォメーションポスト２０１は、パネル型ディスプレー１を傾斜姿勢で内装し、且つ少なくともパネル型ディスプレー１の上側を透明部材とた円筒状のターンヘッド２１１を、ポスト本体２１の頭部に設けたものである。ターンヘッド２１１は、ポスト本体２１に対して、矢印Ｒで指した方向へ手動又は電動にて回転できることが好ましい。
【実施例７】
【００５９】
図１５に示すインフォメーションポスト２０２は、ポスト本体２４の頭部にターンヘッド２４０を設け、ターンヘッド２４０に、ヒンジ部２６を介して、パネル型ディスプレー１を支持する支持板２４１を接続している。ターンヘッド２４０は、ポスト本体２４に対して矢印Ｒで指した鉛直軸周りに手動又は電動で回転できることが好ましい。ヒンジ部２６は、パネル型ディスプレー１を支持板２４１と共に、水平軸周りに矢印Ｘで指した方向へ旋回さる滑節である。このように、パネル型ディスプレー１が、ポスト本体２４に鉛直軸周り、又は水平軸周りに回転可能であるので、パネル型ディスプレー１の向きを上下、又は左右方向へ自由に替えることができる。
【実施例８】
【００６０】
図１６（ａ），（ｂ）に示すインフォメーションポスト２０３は、ポスト本体２４の頭部に、パネル型ディスプレー１を直立姿勢で出没させる切込み状のディスプレー収納部２４２を備える。図に表れていないが、ディスプレー収納部２４２の内側には、ヒンジ部２６を上下方向に案内するガイドレール等が設けられ、ヒンジ部２６は、手動又は電動により、パネル型ディスプレー１を伴ってディスプレー収納部２４２の上口部と底部の間で昇降又は停止することができる。
【００６１】
インフォメーションポスト２０３によれば、パネル型ディスプレー１を使用する場合には、同図（ｂ）に示すように、パネル型ディスプレー１をディスプレー収納部２４２から上方へ突出させる。この状態で、パネル型ディスプレー１は、支持板２４１と共にヒンジ部２６を支点にして矢印Ｘで指した方向へ旋回できる。
【００６２】
また、パネル型ディスプレー１を使用しない場合には、同図（ａ）に示すように、パネル型ディスプレー１をディスプレー収納部２４２に没入させる。但し、ポスト本体２４の頭部の前面２４３が透明であれば、パネル型ディスプレー１をディスプレー収納部２４２に没入させたままでもパネル型ディスプレー１の表示を見ることはできる。また、インフォメーションポスト２０３の撤去や搬送を行うに際して、パネル型ディスプレー１の全体をディスプレー収納部２４２に没入させられる分、ポスト本体２４の全長を短くすることができる。
【産業上の利用可能性】
【００６３】
本発明の簡易柵、及びインフォメーションポストは、通行区分やエリアの区画整理に利用でき、更には掲示板としても利用できる。また、ディスプレーの表示内容、又は音声発生装置から発信される音声等は遠隔操作によって制御できるので、本発明の簡易柵、及びインフォメーションポストを舞台装置としても利用することができる。
【図面の簡単な説明】
【００６４】
【図１】本発明の実施例１に係る簡易柵の使用例を示す側面図。
【図２】（ａ）は本発明の実施例１に係る簡易柵を構成するインフォメーションポストの頭部の斜視図、（ｂ）はその他の例の斜視図。
【図３】（ａ）は本発明の実施例１に係る簡易柵の要部の分解斜視図、（ｂ）は本簡易柵に適用した可撓信号線の端部を示す斜視図、（ｃ）は本簡易柵の要部の接続状態を示す斜視図。
【図４】（ａ）は本発明の実施例１，２に係る簡易柵に適用したネットワークの概念を表す平面図、（ｂ）はその他の例の平面図。
【図５】（ａ）は本発明の実施例２に係る簡易柵を構成するインフォメーションポストの一方の側面図、（ｂ）はその正面図、（ｃ）はその他方の側面。
【図６】（ａ）は本発明の実施例２に係る簡易柵構成するインフォメーションポストの要部の分解斜視図、（ｂ）は本簡易柵に適用した可撓体の端部を示す斜視図。
【図７】本発明の実施例３に係るインフォメーションポストの使用例を示す斜視図。
【図８】本発明の実施例４に係る簡易柵の使用例を示す側面図。
【図９】（ａ）は本発明の実施例４に係る簡易柵を構成するインフォメーションポストの要部を示す側面図、（ｂ）は他の要部を示す断面図。
【図１０】（ａ）は本発明の実施例１に係る簡易柵の変形例を示す斜視図、（ｂ）はその設置例を示す断面図。
【図１１】（ａ）は本発明の実施例１に係る簡易柵の別の変形例を示す斜視図、（ｂ）はその効果を示す斜視図。
【図１２】（ａ）〜（ｃ）は、本発明の実施例４に係る簡易柵を構成するインフォメーションポストの要部の変形例を示す斜視図。
【図１３】本発明の実施例５に係るインフォメーションポストの頭部の斜視図。
【図１４】本発明の実施例６に係るインフォメーションポストの頭部の斜視図。
【図１５】本発明の実施例７に係るインフォメーションポストの頭部の斜視図。
【図１６】（ａ）は本発明の実施例８に係るインフォメーションポストの収納時状態の頭部を示す斜視図、（ｂ）はその使用時状態の頭部を示す斜視図。
【符号の説明】
【００６５】
１：ディスプレー
２，３０，４０：インフォメーションポスト
３：可撓信号線
４：音声発信装置
５：入出力装置
６：電線
７：可撓体
９：記録媒体
１０，２０：バリカー（簡易柵）
１１：駆動装置
１２：読取装置
１３：タッチスクリーン
１４：無線携帯電話機
１５：近接検知センサ
１６：足下ライト
１７：支持バー
１８：操作部
２１，２４，３９，４１：ポスト本体
２７：太陽電池
２４２：ディスプレー収納部
【図１】
2005314980.tif 000003
【図２】
2005314980.tif 000004
【図３】
2005314980.tif 000005
【図４】
2005314980.tif 000006
【図５】
2005314980.tif 000007
【図６】
2005314980.tif 000008
【図７】
2005314980.tif 000009
【図８】
2005314980.tif 000010
【図９】
2005314980.tif 000011
【図１０】
2005314980.tif 000012
【図１１】
2005314980.tif 000013
【図１２】
2005314980.tif 000014
【図１３】
2005314980.tif 000015
【図１４】
2005314980.tif 000016
【図１５】
2005314980.tif 000017
【図１６】
2005314980.tif 000018